(57)【要約】【課題】規制装置を枠体と障子の間に備えた建具において、枠体と障子の間の室内側の部分に、規制装置が配置されない空間を確保するとともに、枠体と障子の間の部分での水密性能と気密性能を向上する。【解決手段】建具１は、枠体２と、枠体２に開閉可能に取り付けられた障子３と、障子３を枠体２に連結して開状態の障子３の移動を規制する規制装置６を備えている。室外側空間７Ａと室内側空間７Ｂが、枠体２と閉状態の障子３との間に形成されて、室外側と室内側とに位置する。規制装置６は、室外側空間７Ａに配置されて、枠体２に取り付けられている。【選択図】  図４
2020066948.tif 000002
【特許請求の範囲】
【請求項１】
枠体と、前記枠体に開閉可能に取り付けられた障子と、前記障子を前記枠体に連結して開状態の前記障子の移動を規制する規制装置と、を備えた建具であって、
前記枠体と閉状態の前記障子との間に形成されて、室外側と室内側とに位置する室外側空間と室内側空間を備え、
前記規制装置は、前記室外側空間に配置されて、前記枠体に取り付けられた建具。
【請求項２】
請求項１に記載された建具において、
前記枠体は、室外への排水経路に用いられる中空部と、前記中空部と前記室外側空間の間に位置して前記規制装置が取り付けられる取付壁部と、を有する建具。
【請求項３】
請求項２に記載された建具において、
前記枠体は、前記取付壁部に形成されて、前記中空部の内側に向かって窪む溝部を有し、
前記規制装置は、前記溝部内に位置する前記取付壁部に取り付けられた建具。
【請求項４】
請求項３に記載された建具において、
前記規制装置は、前記溝部に設置されたスペーサを前記取付壁部との間に挟んで前記取付壁部に取り付けられた建具。
【請求項５】
請求項４に記載された建具において、
前記スペーサは、前記溝部内に挿入されて、前記溝部の内面に接触する挿入部を有する建具。
【請求項６】
請求項４又は５に記載された建具において、
前記スペーサは、前記溝部外で、前記枠体に沿って配置される突片を有する建具。
【発明の詳細な説明】
【技術分野】
【０００１】
本発明は、障子の移動を規制する規制装置を備えた建具に関する。
【背景技術】
【０００２】
建具の規制装置は、一般に、枠体と障子の間に配置されて、障子を枠体に連結する。障子が開いたときに、規制装置により、開状態の障子の移動が規制されて、障子が開状態に維持される。また、従来、規制装置として、開口部枠（枠体）と框に取り付けられたアームにより、開放された障子戸（障子）を固定する開き窓の開放固定装置が知られている（特許文献１参照）。
【０００３】
特許文献１に記載された従来の開き窓の開放固定装置は、枠体と障子の間で、室内に開放された室内側の部分に配置されている。そのため、枠体と障子の間の室内側の部分に、建具の他の機構又は部品（例えば、ロック機構、切替機構、ヒンジ機構）を配置できず、枠体と障子の間の部分を有効に活用できない。また、開放固定装置がビスにより枠体に固定されており、枠体に形成されたビス穴によって、枠体と障子の間における水密性能と気密性能に影響が生じる虞がある。水が室外から開放固定装置の位置まで入ったときには、水が枠体内又は室内まで浸入することも懸念される。
【先行技術文献】
【特許文献】
【０００４】
【特許文献１】実開昭５８−１４２２５５号公報
【発明の概要】
【発明が解決しようとする課題】
【０００５】
本発明は、前記従来の問題に鑑みなされたもので、その目的は、開状態の障子の移動を規制する規制装置を枠体と障子の間に備えた建具において、枠体と障子の間の室内側の部分に、規制装置が配置されない空間を確保するとともに、枠体と障子の間の部分での水密性能と気密性能を向上することである。
【課題を解決するための手段】
【０００６】
本発明は、枠体と、前記枠体に開閉可能に取り付けられた障子と、前記障子を前記枠体に連結して開状態の前記障子の移動を規制する規制装置と、を備えた建具であって、前記枠体と閉状態の前記障子との間に形成されて、室外側と室内側とに位置する室外側空間と室内側空間を備え、前記規制装置は、前記室外側空間に配置されて、前記枠体に取り付けられた建具である。
【発明の効果】
【０００７】
本発明によれば、開状態の障子の移動を規制する規制装置を枠体と障子の間に備えた建具において、枠体と障子の間の室内側の部分に、規制装置が配置されない空間を確保できるとともに、枠体と障子の間の部分での水密性能と気密性能を向上することができる。
【図面の簡単な説明】
【０００８】
【図１】本実施形態の建具の正面図である。
【図２】本実施形態の建具の縦断面図である。
【図３】本実施形態の建具の横断面図である。
【図４】本実施形態の建具の下枠側の縦断面図である。
【図５】本実施形態の内開き時の建具を示す横断面図である。
【図６】本実施形態の規制装置の動作を示す図である。
【図７】本実施形態の規制装置を示す図である。
【図８】本実施形態の規制装置の取り付けに用いるスペーサを示す図である。
【図９】本実施形態の規制装置の取り付けに用いる裏板を示す図である。
【図１０】本実施形態の規制装置の枠体への取り付け手順を示す斜視図である。
【発明を実施するための形態】
【０００９】
本発明の建具の一実施形態について、図面を参照して説明する。
本実施形態の建具は、障子を開いたときに、規制装置により障子の移動及び開閉を規制可能な建具である。以下では、ドレーキップ窓（内倒し・内開き窓）を例にとり、建具について説明する。
【００１０】
図１は、本実施形態の建具１の正面図であり、室内側からみた建具１の概略構成を示している。また、図１では、建具１を透視して、建具１の内部構造を鎖線で示している。なお、建具１を正面からみたときに、上下となる方向が上下方向であり、左右となる方向が左右方向である。図１では、上下方向は垂直方向であり、左右方向は水平方向である。
【００１１】
図示のように、建具１は、建物の開口部に設置されて、建物の室内と室外の間に配置されている。また、建具１は、枠体２と、枠体２に開閉可能に取り付けられた障子３と、障子３に取り付けられたハンドル４と、ハンドル４に連動する連動機構５と、障子３の移動を規制する規制装置６を備えている。
【００１２】
枠体２は、開口部２Ａを形成する方形状の開口枠（窓枠）であり、枠組みされた４つの枠１０〜１３（上枠１０、下枠１１、一対の縦枠１２、１３）を有している。上枠１０と下枠１１は、左右方向（横方向）に延びる横枠であり、一対の縦枠１２、１３は、上枠１０の端部と下枠１１の端部の間で上下方向（縦方向）に延びる。枠１０〜１３は、合成樹脂製の枠材からなり、枠１０〜１３の長手方向の端部同士は、溶着により接続されている。枠１０〜１３により、合成樹脂製の樹脂枠体である枠体２が形成されて、枠体２の内側に方形状の開口部２Ａが形成されている。枠体２が障子３を囲み、障子３により、枠体２の開口部２Ａが開閉される。
【００１３】
障子３は、方形状の開閉体であり、框体２０と、框体２０内に配置されたパネル体２１を有している。框体２０は、枠組みされた４つの框２２〜２５（上框２２、下框２３、一対の縦框２４、２５）を有している。上框２２と下框２３は、左右方向に延びる横框であり、一対の縦框２４、２５は、上框２２の端部と下框２３の端部の間で上下方向に延びる。框２２〜２５は、合成樹脂製の框材からなり、框２２〜２５の長手方向の端部同士は、溶着により接続されている。框２２〜２５により、合成樹脂製の樹脂框体である框体２０が形成されている。パネル体２１は、例えば、複数のガラス板を有する複層ガラスであり、框体２０に嵌め込まれている。
【００１４】
障子３は、枠体２に回動可能に支持されて、回動により開閉方向（開方向、閉方向）に移動して開閉する。また、障子３は、室内外方向の一方側に向かって移動（回動）して開き、室内外方向の他方側に向かって移動して閉じる。ここでは、室内外方向の一方側は、室内側であり、室内外方向の他方側は、室外側（枠体２側）である。障子３は、室内側に向かって移動して開状態に配置され、枠体２側に向かって移動して閉状態に配置される。
【００１５】
障子３は、開閉方向を切り替え可能に枠体２に取り付けられており、２つの開閉方向（内倒し時の開閉方向、内開き時の開閉方向）に開閉する。内倒し時には、枠体２に保持された下框２３を中心に上框２２が室内側に移動して、障子３が室内側に倒れるように開く。内開き時には、枠体２に保持された吊元側の縦框２４を中心に戸先側の縦框２５が室内側に移動して、障子３が室内側に開く。障子３は、開状態から枠体２まで移動して閉じ、閉状態で枠体２に保持される。
【００１６】
ハンドル４は、障子３の室内側に設けられて、障子３の戸先側の縦框２５に回動可能に取り付けられている。ハンドル４が障子３の内部で連動機構５に連結されて、連動機構５がハンドル４により操作される。連動機構５は、障子３の外周部に配置されて、障子３に取り付けられている。また、連動機構５は、障子３の戸先側の外周部、上下の外周部、及び、吊元側の外周部に配置されて、障子３の外周部に沿って連続して延びる。ここでは、連動機構５は、戸先側の縦框２５、上框２２、下框２３、及び、吊元側の縦框２４に配置されて、各框２５、２２、２３、２４の長手方向に延びる。連動機構５は、戸先側の縦框２５では上側部から下側部まで配置され、上框２２と下框２３では戸先側部から吊元側部まで配置され、吊元側の縦框２４では上側部から上下方向の中間部まで配置されている。
【００１７】
連動機構５は、障子３の開閉方向を切り替える切替機構と、障子３を枠体２にロックするロック機構を有している。ハンドル４の回動に連動して、連動機構５の切替機構が作動して、障子３の開閉方向及び開閉の仕方が切り替えられる。ハンドル４を押し引きすることで、障子３が各開閉方向に開閉する。また、ハンドル４の回動に連動して、連動機構５のロック機構が作動して、閉状態の障子３が枠体２にロックされる。規制装置６は、下枠１１の一端部側（吊元側）に位置して、枠体２と障子３の間に設けられている。
【００１８】
図２は、本実施形態の建具１の縦断面図であり、図１のＸ１−Ｘ１線で切断した建具１を示している。図３は、本実施形態の建具１の横断面図であり、図１のＸ２−Ｘ２線で切断した建具１を示している。
図示のように、枠体２の枠１０〜１３と框体２０の框２２〜２５は、押出成形された形材（押出形材）であり、それぞれ複数の中空部を有する中空形状に形成されている。また、枠体２の枠１０〜１３は、同じ形材からなり、互いに同じ構成を有している。框体２０の框２２〜２５は、同じ形材からなり、互いに同じ構成を有している。連動機構５は、障子３（ここでは、框体２０の上框２２、下框２３、縦框２４、２５）に取り付けられ、規制装置６は、枠体２（ここでは、下枠１１）に取り付けられている。
【００１９】
障子３を閉じたときに、枠体２と障子３の間に空間７が形成される。空間７は、枠体２の内周部と障子３（框体２０）の外周部の間に全周にわたって形成されており、枠体２と障子３の框体２０により区画される。また、空間７は、互いに対向する枠体２の枠１０〜１３と框体２０の框２２〜２５により、上枠１０と上框２２の間、下枠１１と下框２３の間、縦枠１２と縦框２４の間、及び、縦枠１３と縦框２５の間のそれぞれに同様に形成される。連動機構５は、上枠１０、下枠１１、及び、縦枠１２、１３により形成される空間７に配置され、規制装置６は、下枠１１により形成される空間７に配置される。
【００２０】
図４は、本実施形態の建具１の下枠１１側の縦断面図であり、図２の下枠１１側の部分を拡大して示している。また、図４では、連動機構５を省略している。
図示のように、障子３の下框２３は、外周部２６と、外周部２６の室内側に位置する室内側凸部２７と、外周部２６の室外側に位置する室外側壁部２８と、室外側壁部２８の室内側に形成された中空部２９を有している。外周部２６は、障子３の外周部の一部（下部）であり、室内側凸部２７と室外側壁部２８の間に形成されている。室内側凸部２７は、外周部２６の室内側の端部から下側（枠体２側）に向かって突出し、室外側壁部２８は、外周部２６の室外側の端部から上側（枠体２の反対側）に向かって形成されている。
【００２１】
枠体２の下枠１１は、内周部１４と、内周部１４の室外側に位置する室外側凸部１５と、内周部１４の室内側に位置する室内側壁部１６と、内周部１４よりも室外側に並べて形成された複数の中空部３０〜３３と、規制装置６が取り付けられる取付壁部３４と、取付壁部３４に形成された溝部３５を有している。内周部１４は、枠体２の内周部の一部（下部）であり、室外側凸部１５と室内側壁部１６の間に形成されている。室外側凸部１５は、内周部１４の室外側の端部から上側（障子３側）に向かって突出し、室内側壁部１６は、内周部１４の室内側の端部から下側（障子３の反対側）に向かって形成されている。枠体２の室外側凸部１５は、障子３の室外側壁部２８の室外側に配置され、障子３の室内側凸部２７は、枠体２の室内側壁部１６の室内側に配置される。
【００２２】
複数の中空部３０〜３３は、枠体２の室外への排水経路３６に用いられる枠体２の室外側の内部空間であり、互いの間の壁部に形成された連通孔（図示せず）により連通して、枠体２の排水空間を形成している。即ち、中空部３０〜３３は、排水経路３６に位置する排水空間である。排水経路３６は、枠体２から室外へ水を排水するための経路であり、水は、排水経路３６に沿って移動して室外に排水される。中空部３０〜３３に入った水は、最も室外側かつ最も下側に位置する中空部３３まで移動して、中空部３３の壁部に形成された排水孔（図示せず）から室外に排水される。
【００２３】
複数の中空部３０〜３３のうちの１つの中空部３１は、枠体２の見付け方向（上下方向）の中間に位置する中間中空部であり、内周部１４の室外側に設けられている。枠体２の取付壁部３４は、内周部１４の室外側に位置しており、内周部１４の室外側の端部から上側（障子３側）に向かって突出している。枠体２の溝部３５は、少なくとも取付壁部３４に室外側に向かって窪むように形成されており、下枠１１の長手方向に延びる。また、取付壁部３４及び溝部３５は、中空部３１の内側に向かって窪む凹形状に形成されている。
【００２４】
ここでは、溝部３５は、内周部１４の室外側部分と取付壁部３４に形成されており、室外側に向かって斜め下方に窪む。溝部３５の底部は、取付壁部３４の一部であり、湾曲した凹形状に形成されている。溝部３５は、水を中空部３１及び排水経路３６に誘導する誘導溝であり、溝部３５の底部には排水孔（図示せず）が形成されている。溝部３５の排水孔は、中空部３１（排水経路３６）に開口して、溝部３５と中空部３１を連通する。溝部３５に入った水は、溝部３５の排水孔を通って中空部３１に排水される。
【００２５】
障子３において、固定部４０が室内側凸部２７に形成されて、密閉材４１が固定部４０に固定されている。枠体２において、固定部４２が室外側凸部１５に形成されて、密閉材４３が固定部４２に固定されている。また、固定部４４が内周部１４に形成されて、密閉材４５が固定部４４に固定されている。密閉材４１、４３、４５は、弾性変形可能なＡＴ材（エアタイト材）である。障子３を閉じたときに、室内側凸部２７の密閉材４１が枠体２の室内側壁部１６に接触し、室外側凸部１５の密閉材４３が障子３の室外側壁部２８に接触する。密閉材４１、４３により、枠体２と障子３の間の部分が密閉されて、枠体２と閉状態の障子３の間に密閉された空間７が形成される。
【００２６】
内周部１４の密閉材４５は、空間７内で室内外方向の中間に位置しており、障子３の外周部２６に接触する。密閉材４５は、枠体２から障子３に向かって突出する仕切り材であり、空間７を室外側と室内側の２つの空間（室外側空間７Ａ、室内側空間７Ｂ）に密閉状に仕切る。室外側空間７Ａと室内側空間７Ｂは、枠体２と閉状態の障子３との間に形成されて、室外側と室内側とに位置する。密閉材４５が室外側空間７Ａと室内側空間７Ｂの間に設けられて、室内側空間７Ｂが密閉材４５により室外側空間７Ａに対して密閉される。
【００２７】
障子３を閉じたときに、室外側空間７Ａと室内側空間７Ｂは、枠体２と障子３の間で、室外側と室内側とに区画される。連動機構５（図２参照）は、室内側空間７Ｂに配置されて室内側空間７Ｂ内に収容され、規制装置６は、室外側空間７Ａに配置されて室外側空間７Ａ内に収容される。枠体２の中空部３１（図４参照）は、室外側空間７Ａの室外側に位置する。枠体２の取付壁部３４は、中空部３１の室内側かつ室外側空間７Ａの室外側に位置する区画壁部であり、中空部３１の室内側の一部と室外側空間７Ａの室外側の一部を区画する。枠体２の溝部３５は、室外側空間７Ａの室外側に連続して形成されており、室外側空間７Ａの内側に向かって開口する。室外側空間７Ａに水が入ったときには、水は、溝部３５により、中空部３１に向かって誘導される。
【００２８】
規制装置６は、中空部３１と室外側空間７Ａの間に位置する取付壁部３４に取り付けられており、障子３を閉じたときに、室外側空間７Ａのみに配置される。また、規制装置６は、裏板５０とスペーサ６０を用いて、取付壁部３４のみに取り付けられている。裏板５０は、枠体２の中空部３１に配置されて、取付壁部３４に隣接している。スペーサ６０は、取付壁部３４に隣接して枠体２の溝部３５に設置されており、規制装置６と取付壁部３４の間に位置している。規制装置６は、枠体２の内周部１４とスペーサ６０に配置されており、スペーサ６０は、溝部３５内に位置する取付壁部３４（溝部３５の内面部）と規制装置６の間に挟まれる。ネジ５１が、規制装置６、スペーサ６０、及び、取付壁部３４を貫通して、裏板５０のネジ孔５２に取り付けられている。ネジ５１と裏板５０により、規制装置６は、スペーサ６０を取付壁部３４との間に挟んで、溝部３５内に位置する取付壁部３４に取り付けられている。
【００２９】
障子３を内開き時の開方向に開いた状態で、規制装置６は、室内側に開いた障子３の連結部５３に連結される。連結部５３は、規制装置６を受ける受け部材であり、裏板５４を用いて障子３に取り付けられている。裏板５４は、障子３の中空部２９に配置されて、室外側壁部２８に隣接している。ネジ５５が、連結部５３と室外側壁部２８を貫通して、裏板５４のネジ孔５６に取り付けられている。連結部５３は、ネジ５５と裏板５４により、障子３の室外側壁部２８に取り付けられて、障子３から室外側に突出している。また、連結部５３は、上下方向に貫通する連結孔５７を有しており、規制装置６は、連結部５３の連結孔５７に連結する。
【００３０】
図５は、本実施形態の内開き時の建具１を示す横断面図であり、図４の矢印Ｘ３方向からみた建具１を示している。
図示のように、規制装置６は、回動可能なアーム７０を有しており、アーム７０により障子３の連結部５３に連結される。規制装置６は、開状態の障子３を停止するストッパーであり、アーム７０により、障子３を枠体２に連結して、開状態の障子３の移動を規制する。規制装置６により、障子３の開方向と閉方向の移動が規制されて、障子３が開状態に維持される。
【００３１】
図６は、本実施形態の規制装置６の動作を示す図であり、規制装置６、スペーサ６０、及び、障子３の連結部５３を示している。また、図６Ａは、室内側からみた規制装置６とスペーサ６０を示し、図６Ｂは、図５の一部を拡大して示している。図６Ａ、図６Ｂでは、動作するアーム７０を鎖線で示している。
図示のように、規制装置６は、アーム７０を支持する板状のアームベース８０を有している。アームベース８０は、スペーサ６０に重ねて配置されて、スペーサ６０により支持されている。
【００３２】
アーム７０は、アーム状の連結部材であり、２つのピン７１、７２（回動ピン７１、連結ピン７２）を有している。回動ピン７１は、アーム７０の一端部（基端部）に設けられて、アームベース８０に回動可能かつ上下方向に移動可能に取り付けられている。回動ピン７１により、アーム７０は、上下方向に移動（図６Ａの矢印Ｈ参照）するとともに、回動ピン７１を中心に室内側と枠体２側とに回動（図６Ｂの矢印Ｒ参照）する。連結ピン７２は、アーム７０の他端部（先端部）に設けられて、障子３の連結部５３に連結される。
【００３３】
障子３が室内側に所定の開度で開いた状態で、アーム７０をアームベース８０から持ち上げて（図６Ａ参照）、障子３の連結部５３に向かって室内側に回動する（図６Ｂ参照）。続いて、アーム７０の連結ピン７２を連結部５３の連結孔５７に挿入して連結孔５７に係止する。連結ピン７２により、アーム７０及び規制装置６を障子３の連結部５３に連結する。規制装置６により、開状態の障子３が停止して、障子３の移動が規制される。障子３の移動の規制を解除するときには、アーム７０の連結ピン７２を連結部５３の連結孔５７から外して、アーム７０及び規制装置６の障子３の連結部５３への連結を解除する。続いて、アーム７０をアームベース８０に向かって枠体２側に回動し、アーム７０をアームベース８０に載置する。
【００３４】
図７は、本実施形態の規制装置６を示す図であり、図７Ａは、室内側からみた規制装置６を示している。図７Ｂは、図７Ａの矢印Ｘ４方向からみた規制装置６を示し、図７Ｃは、図７Ａの矢印Ｘ５方向からみた規制装置６を示している。
図示のように、規制装置６のアームベース８０は、障子３に取り付けられる２つの取付部８１と、２つの取付部８１の間に位置する支持部８２と、アーム７０が載置される載置部８３を有している。取付部８１は、支持部８２の両側に形成され、室外側に向かって斜め上方に突出している。取付部８１には、取付孔８４が形成されている。アーム７０の回動ピン７１は、支持部８２に取り付けられ、アームベース８０は、支持部８２でアーム７０を支持する。規制装置６が室外側空間７Ａに配置されるときに、アーム７０は、載置部８３に載置される。
【００３５】
図８は、本実施形態の規制装置６の取り付けに用いるスペーサ６０を示す図であり、図８Ａは、室内側からみたスペーサ６０を示している。図８Ｂは、図８Ａの矢印Ｘ６方向からみたスペーサ６０を示し、図８Ｃは、図８Ａの矢印Ｘ７方向からみたスペーサ６０を示している。
図示のように、スペーサ６０は、規制装置６のアームベース８０が装着される装着部６１と、枠体２の溝部３５（図４参照）内に挿入される２つの挿入部６２と、２つの挿入部６２の間に位置する２つの突片６３、６４（第１突片６３、第２突片６４）を有している。装着部６１は、アームベース８０の取付部８１と同様に、室外側に向かって斜め上方に傾斜しており、溝部３５の開口部に配置されて、溝部３５の長手方向に延びる。アームベース８０の２つの取付部８１は、スペーサ６０の装着部６１に重ねて配置されて、装着部６１に装着される。装着部６１には、２つの取付孔６５が形成されている。
【００３６】
スペーサ６０の２つの挿入部６２は、装着部６１から枠体２の溝部３５内（図４参照）に突出する片状の突起であり、スペーサ６０の長手方向の両端部に形成されて、装着部６１から室外側に向かって突出している。ここでは、挿入部６２は、室外側に向かって斜め下方に突出しており、溝部３５内に配置されて、溝部３５の内面に接触する。挿入部６２の先端部は、湾曲した凸形状に形成されており、溝部３５の湾曲した底部に配置されている。挿入部６２は、溝部３５内で、装着部６１及びスペーサ６０を支える。
【００３７】
スペーサ６０の２つの突片６３、６４は、スペーサ６０の長手方向の中間部に形成されており、装着部６１から互いに異なる方向に突出して、室外側空間７Ａ（図４参照）に配置される。また、突片６３、６４は、枠体２の溝部３５外で、枠体２（ここでは、枠体２の室外側空間７Ａを区画する部分）に沿って配置されている。第１突片６３は、上側に向かって突出して、枠体２の室外側凸部１５に沿って配置されている。第２突片６４は、室内側に向かって突出して、枠体２の内周部１４に沿って配置されている。一方の突片（ここでは、第２突片６４）には、識別部６６が設けられている。識別部６６は、第２突片６４の先端部に形成された凹部であり、２つの突片６３、６４から第２突片６４を識別するために用いられる。スペーサ６０を溝部３５に設置するときに、識別部６６を有する第２突片６４が枠体２の内周部１４に配置される。
【００３８】
図９は、本実施形態の規制装置６の取り付けに用いる裏板５０を示す図である。図９Ａは、室内側からみた裏板５０を示し、図９Ｂは、図９Ａの矢印Ｘ８方向からみた裏板５０を示している。
図示のように、裏板５０は、枠体２の取付壁部３４（図４参照）に当接する当接部５８を有している。複数のネジ孔５２、５９（２つの第１ネジ孔５２、１つの第２ネジ孔５９）が当接部５８に形成されており、第２ネジ孔５９が２つの第１ネジ孔５２の間に位置している。
【００３９】
図１０は、本実施形態の規制装置６の枠体２への取り付け手順を示す斜視図である。図１０Ａは、枠体２に取り付ける前の規制装置６を示し、図１０Ｂは、枠体２に取り付けた後の規制装置６を示している。
枠体２の４つの枠１０〜１３を接続する前に、裏板５０を枠体２の中空部３１に配置する（図４参照）。また、ネジ（図示せず）を枠体２の溝部３５に挿入し、ネジを枠体２の取付壁部３４を貫通して裏板５０の第２ネジ孔５９（図９参照）に取り付ける。これにより、中空部３１の内側に突出する取付壁部３４に裏板５０を取り付ける。その後、４つの枠１０〜１３の長手方向の端部同士を接続して、枠体２を形成する。
【００４０】
次に（図４、図１０Ａ参照）、スペーサ６０の挿入部６２を枠体２の溝部３５に挿入して、スペーサ６０を溝部３５に設置する。また、規制装置６（アームベース８０）の取付部８１をスペーサ６０の装着部６１に配置して、規制装置６を枠体２への取付位置に配置する（図４、図１０Ｂ参照）。続いて、規制装置６の２つの取付部８１のそれぞれで、ネジ５１を取付部８１の取付孔８４と装着部６１の取付孔６５に挿入し、ネジ５１を枠体２の取付壁部３４を貫通して裏板５０の第１ネジ孔５２に取り付ける。これにより、規制装置６をスペーサ６０の装着部６１に装着するとともに、スペーサ６０を介して、規制装置６を取付壁部３４に取り付ける。規制装置６は、溝部３５の底部に位置する取付壁部３４に取り付けられる。スペーサ６０は、規制装置６の取り付けのベースとなるベース部材（取付ベース）であり、取付壁部３４と規制装置６の間に位置して、規制装置６を支える。
【００４１】
以上説明した建具１では、規制装置６を室外側空間７Ａに配置しており、枠体２と障子３の間の室内側の部分に、規制装置６が配置されない室内側空間７Ｂを確保することができる。規制装置６を室外側空間７Ａにおいて枠体２に取り付けており、室外側空間７Ａに水が入ったときでも、室内側空間７Ｂへの水の浸入、及び、枠体２を通った室内への水の浸入を抑制することができる。従って、枠体２と障子３の間の部分での水密性能と気密性能を向上することができる。
【００４２】
建具１の機構（例えば、連動機構５）又は部品を室内側空間７Ｂに容易に配置でき、室内側空間７Ｂを有効に活用することができる。建具１の機構又は部品を規制装置６が位置する吊元側の箇所に設けることもできる。建具１の機構又は部品を室内側空間７Ｂに配置することで、枠体２における機構又は部品の配置スペースを削減することができる。その結果、建具１の寸法（例えば、幅、高さ）を小さくすることができる。
【００４３】
枠体２の中空部３１は、排水経路３６に用いられており、規制装置６は、中空部３１と室外側空間７Ａの間の取付壁部３４に取り付けられている。そのため、取付壁部３４の規制装置６の取付箇所から中空部３１に水が入ったとしても、室内への水の浸入を防止できるとともに、水を排水経路３６に沿って排水することができる。
【００４４】
溝部３５により、室外側空間７Ａの水を中空部３１及び排水経路３６に向かって誘導して、室外側空間７Ａの水を円滑に排水することができる。規制装置６が溝部３５内に位置する取付壁部３４に取り付けられており、取付壁部３４の規制装置６の取付箇所から中空部３１に水を円滑に排水することができる。溝部３５にスペーサ６０を設置することで、溝部３５が形成された取付壁部３４に規制装置６を容易に取り付けることができる。スペーサ６０を設置することで、規制装置６の形状が複雑にならず、規制装置６のコストの上昇を抑制することもできる。
【００４５】
溝部３５内に挿入されたスペーサ６０の挿入部６２により、スペーサ６０及び規制装置６を支えて、規制装置６を安定して枠体２の取付壁部３４に取り付けることができる。また、取付部材であるネジ５１で規制装置６を取付壁部３４に取り付けても、スペーサ６０の変形を防止して、規制装置６の取り付けを確実に行うことができる。スペーサ６０の突片６３、６４により、スペーサ６０の回転や変位を抑制して、規制装置６を安定して枠体２の取付壁部３４に取り付けることができる。
【００４６】
なお、室内側空間７Ｂには、連動機構５以外の建具１の機構又は部品を配置してもよく、何も配置しなくてもよい。また、室外側空間７Ａと室内側空間７Ｂの間に密閉材４５を設けずに、枠体２と障子３の間の空間７において、室外側空間７Ａと室内側空間７Ｂを互いに繋がるように形成してもよい。この場合には、室外側空間７Ａは、空間７の室外側に位置する部分であり、室内側空間７Ｂは、空間７の室内側に位置する部分である。スペーサ６０を取付手段（例えば、かしめ）で規制装置６に取り付ける等して、スペーサ６０を規制装置６に一体に設けてもよい。建具１は、ドレーキップ窓に限定されず、規制装置６を備えた他の建具（例えば、開き窓、開き戸）であってもよい。規制装置６は、下枠１１以外の枠体２の枠（例えば、上枠１０、縦枠１２、１３）の箇所に形成した室外側空間７Ａに配置してもよい。規制装置６は、それぞれの室外側空間７Ａで枠体２の枠に取り付けられる。
【００４７】
以上のとおり、建具は、枠体と、前記枠体に開閉可能に取り付けられた障子と、前記障子を前記枠体に連結して開状態の前記障子の移動を規制する規制装置と、を備えた建具であって、
前記枠体と閉状態の前記障子との間に形成されて、室外側と室内側とに位置する室外側空間と室内側空間を備え、
前記規制装置は、前記室外側空間に配置されて、前記枠体に取り付けられた建具である。
この建具によれば、開状態の障子の移動を規制する規制装置を枠体と障子の間に備えた建具において、枠体と障子の間の室内側の部分に、規制装置が配置されない空間を確保できるとともに、枠体と障子の間の部分での水密性能と気密性能を向上することができる。
【００４８】
前記枠体は、室外への排水経路に用いられる中空部と、前記中空部と前記室外側空間の間に位置して前記規制装置が取り付けられる取付壁部と、を有する。
取付壁部の規制装置の取付箇所から中空部に水が入ったとしても、室内への水の浸入を防止できるとともに、水を排水経路に沿って排水することができる。
【００４９】
前記枠体は、前記取付壁部に形成されて、前記中空部の内側に向かって窪む溝部を有し、
前記規制装置は、前記溝部内に位置する前記取付壁部に取り付けられている。
溝部により、室外側空間の水を誘導して円滑に排水することができる。また、取付壁部の規制装置の取付箇所から中空部に水を円滑に排水することができる。
【００５０】
前記規制装置は、前記溝部に設置されたスペーサを前記取付壁部との間に挟んで前記取付壁部に取り付けられている。
スペーサにより、規制装置の形状が複雑にならず、かつ、溝部が形成された取付壁部に規制装置を容易に取り付けることができる。
【００５１】
前記スペーサは、前記溝部内に挿入されて、前記溝部の内面に接触する挿入部を有する。
スペーサの挿入部により、スペーサ及び規制装置を支えて、規制装置を安定して枠体の取付壁部に取り付けることができる。また、スペーサの変形を防止して、規制装置の取り付けを確実に行うことができる。
【００５２】
前記スペーサは、前記溝部外で、前記枠体に沿って配置される突片を有する。
スペーサの突片により、スペーサの回転や変位を抑制して、規制装置を安定して枠体の取付壁部に取り付けることができる。
【符号の説明】
【００５３】
１・・・建具、２・・・枠体、２Ａ・・・開口部、３・・・障子、４・・・ハンドル、５・・・連動機構、６・・・規制装置、７・・・空間、７Ａ・・・室外側空間、７Ｂ・・・室内側空間、１０・・・上枠、１１・・・下枠、１２・・・縦枠、１３・・・縦枠、１４・・・内周部、１５・・・室外側凸部、１６・・・室内側壁部、２０・・・框体、２１・・・パネル体、２２・・・上框、２３・・・下框、２４・・・縦框、２５・・・縦框、２６・・・外周部、２７・・・室内側凸部、２８・・・室外側壁部、２９・・・中空部、３０・・・中空部、３１・・・中空部、３２・・・中空部、３３・・・中空部、３４・・・取付壁部、３５・・・溝部、３６・・・排水経路、４０・・・固定部、４１・・・密閉材、４２・・・固定部、４３・・・密閉材、４４・・・固定部、４５・・・密閉材、５０・・・裏板、５１・・・ネジ、５２・・・第１ネジ孔、５３・・・連結部、５４・・・裏板、５５・・・ネジ、５６・・・ネジ孔、５７・・・連結孔、５８・・・当接部、５９・・・第２ネジ孔、６０・・・スペーサ、６１・・・装着部、６２・・・挿入部、６３・・・第１突片、６４・・・第２突片、６５・・・取付孔、６６・・・識別部、７０・・・アーム、７１・・・回動ピン、７２・・・連結ピン、８０・・・アームベース、８１・・・取付部、８２・・・支持部、８３・・・載置部、８４・・・取付孔。
【図１】
2020066948.tif 000003
【図２】
2020066948.tif 000004
【図３】
2020066948.tif 000005
【図４】
2020066948.tif 000006
【図５】
2020066948.tif 000007
【図６】
2020066948.tif 000008
【図７】
2020066948.tif 000009
【図８】
2020066948.tif 000010
【図９】
2020066948.tif 000011
【図１０】
2020066948.tif 000012